(57)【特許請求の範囲】
【請求項１】
先端を尖らせた鋼製の円形断面を有する線材からなる杭部の後端部を直角に一方向に折曲して先端が下降傾斜した折曲部を有する槌打頭部を形成すると共に、該槌打頭部の基端付近の上面から該槌打頭部の突出方向へ延びる凸条を設けたことを特徴とする瓦固定釘。
【請求項２】
先端を尖らせた鋼製の円形断面を有する線材からなる杭部の後端部を直角に一方向に折曲して先端が下降傾斜した折曲部を有する槌打頭部を形成すると共に、該槌打頭部の基端付近の肉厚を上方へ膨出して前記杭部の打込み方向に増加し、且つ、基端付近の幅寸法を先端付近より減少したことを特徴とする瓦固定釘。
【発明の詳細な説明】
【０００１】
【産業上の利用分野】
この発明は、瓦を瓦桟等に固定する瓦固定釘に関するものである。
【０００２】
【従来の技術】
図１０に示すように、従来例の瓦固定釘Ｃは、杭部１の側方へ延出した槌打頭部２を有し、前記槌打頭部２の先端に下降傾斜した折曲部４を形成したものである。また、前記杭部１の周面には、図１１に示すように、前記杭部１の打込み方向に縮径するように傾斜した上面部１ａと、該上面部１ａに前記杭部１の打込み方向に隙間を開けて対面すると共に前記打込み方向に略直交した下面部１ｂとを有する周溝１ｃが形成されている。
【０００３】
上記例示の瓦固定釘Ｃを用いて瓦を敷設するには、以下の手順によって行われる。すなわち、図１２及び図１３に示すように、先ず、第１の瓦Ｄ１の上縁部の表面側に、その上方に存する第２の瓦Ｄ２の下縁部を重合させて載置する。この状態で、前記瓦固定釘Ｃを、第１の瓦Ｄ１と第２の瓦Ｄ２との重合部の右側上方から、この重合部の真下に位置する瓦桟５に打ち込み、同時に、該瓦固定釘Ｃの槌打頭部２を第２の瓦Ｄ２の表面に係止させる。次に、第２の瓦Ｄ２の上縁部に形成された挿通孔６にスクリュー釘Ｅを打ち込む。以上の工程を軒先側から棟側に向かって繰り返すようにする。
【０００４】
【発明が解決しようとする課題】
従来例の瓦固定釘Ｃでは、瓦桟５への打込みを前記槌打頭部２を金槌等で真上から打撃することによって行え、これと同時に、前記槌打頭部２を瓦の表面に係止できるので、作業性に優れているのであるが、しかしながら、金槌等による打撃が繰り返されると、前記槌打頭部２が下方へ折曲して瓦の表面に沿って係止できなくなったり、或いは、前記槌打頭部２が金属疲労等により破断したりするという問題がある。このような問題が施工中に起こると、瓦桟５に一旦打ち込んだ瓦固定釘Ｃを抜き取って新たな瓦固定釘Ｃを打ち直さなければならず、多くの手間と時間を費やすことになった。また、金槌等の打力を弱めると瓦固定釘Ｃの打込み要する時間が不要に長くなった。
【０００５】
この発明の目的は、耐久性に優れた瓦固定釘を提供することである。
【０００６】
請求項１記載の瓦固定釘は、先端を尖らせた鋼製の円形断面を有する線材からなる杭部の後端部を直角に一方向に折曲して先端が下降傾斜した折曲部を有する槌打頭部を形成すると共に、該槌打頭部の基端付近の上面から該槌打頭部の突出方向へ延びる凸条を設けたものである。
【０００７】
請求項２記載の瓦固定釘は、先端を尖らせた鋼製の円形断面を有する線材からなる杭部の後端部を直角に一方向に折曲して先端が下降傾斜した折曲部を有する槌打頭部を形成すると共に、該槌打頭部の基端付近の肉厚を上方へ膨出して前記杭部の打込み方向に増加し、且つ、基端付近の幅寸法を先端付近より減少したことにある。
【０００８】
【作用】
請求項１記載の瓦固定釘によると、槌打頭部の基端付近の上面に設けた凸条が槌打頭部の補強リブとして作用するので、杭部の打込み方向から受ける衝撃に対して高い強度を確保することができる。
【０００９】
請求項２記載の瓦固定釘によると、槌打頭部の基端付近の肉厚が上方へ膨出して杭部の打込み方向に増加しているので、杭部の打込み方向から受ける衝撃に対して高い強度を確保することができる。
【００１０】
【実施例】
以下にこの発明の瓦固定釘の実施例について説明する。従来例と同様の構成は同符号を付して説明を省略し、施工手順についても従来例と同様であるため省略する。
【００１１】
図１に示すように、この発明の第１の実施例の瓦固定釘Ａは、先端１ａを尖らせた鋼製の円形断面を有する線材からなる杭部１の後端部を直角に折曲することにより槌打頭部２を形成すると共に、図２及び図３に示すように、前記槌打頭部２の基端付近２ａの上面に、該槌打頭部２の突出方向へ延びる凸条３を設けたものである。前記凸条３は、前記槌打頭部２と一体に形成することが部品点数を増加することなく好ましいが、金属片等をロウ付けする等して形成してもよい。また、前記凸条３の本数や配置等については、図３に示すものに限定されるのではなく、例えば、図４に示すように槌打頭部２の両側に配置してもよい。
【００１２】
このように構成した瓦固定釘Ａによれば、前記凸条３が前記槌打頭部２の補強リブとして作用するため、前記槌打頭部２が金槌等の衝撃によって折曲するのを防止できる。また、金槌等で前記槌打頭部２の基端付近２ａを打撃すると、前記凸条３が先に潰れて衝撃を緩和して前記槌打頭部２の基端付近２ａを保護するので、前記槌打頭部２が破断するのを防止できる。また、前記杭部１と前記槌打頭部２とを鋼製の線材を屈曲することにより一体成形しているので、製造が極めて簡単である。
【００１３】
更にまた、前記凸条３を前記槌打頭部２の基端付近２ａに設け先端付近２ｂには設けていないので、前記杭部１を瓦桟等に打ち込むに際して、金槌等に対して前記槌打頭部２の基端付近２ａが先端付近２ｂよりも相対的に高く位置することになる。このため、金槌等を多少傾けて使用しても基端付近２ａのみを確実に打撃できるので、先端付近２ｂを不用意に打撃しないように作業員等が注意を払う必要がない。従って、当該瓦固定釘Ａを用いて瓦の敷設を行えば、足場の不安定な高所においても容易に施工が行える。
【００１４】
尚、上記第１の実施例では、凸条３を槌打頭部２の上面に設けたが、図５に示すように槌打頭部２の下面の幅方向の中央に設けてもよく、或いは、図６に示すように槌打頭部２の下面の両側に分けて設けてもよい。この場合、上述のように槌打頭部２を金槌等で打撃する際に凸条３が先に潰れて衝撃を緩和すること、及び、金槌等を多少傾けて使用しても槌打頭部２の基端付近２ａのみを確実に打撃できるという利点は失われるが、杭部１の全長を凸条３の立上り分増加することなく槌打頭部２の撓み剛性を向上できるという利点が得られる。また、従来例と同様に杭部１の周面に沿って周溝１ｃを設けることにより、杭部１を瓦桟等に打ち込んだ際の摩擦力を増大して、杭部１が容易に抜けないようにしてもよい。
【００１５】
次に、図７乃至図９に示すように、この発明の第２の実施例の瓦固定釘Ｂは、前記槌打頭部２の基端付近２ａを上方へ膨出することにより基端付近２ａの肉厚Ｔを先端付近２ｂよりも杭部１の打込み方向に増加する共に、基端付近２ａの幅寸法Ｗを先端付近２ｂよりも減少させたものである。前記杭部１及び槌打頭部２は、上記第１の実施例と同様に、円形断面を有する線材からなる杭部１の後端部を直角に折曲することにより一体に形成されている。
【００１６】
このように構成した瓦固定釘Ｂによれば、杭部１の打込み方向から受ける衝撃に対して高い強度を確保できるので、前記槌打頭部２が金槌等の衝撃により折曲するのを防止できる。しかも、金槌等で槌打頭部２の基端付近２ａが繰り返し打撃されても、基端付近が薄く潰れて強度不足となったり破断したりすることがない。また、前記凸条３を前記槌打頭部２の基端付近２ａのみを上方へ膨出しているので、上記第１の実施例と同様に、前記杭部１を瓦桟等に打ち込むに際して、金槌等に対して前記槌打頭部２の基端付近２ａが先端付近２ｂよりも相対的に高く位置することになる。従って、槌打頭部２の先端付近２ｂを不用意に打撃しないように作業員等が注意を払う必要がなく、足場の不安定な高所においても容易に施工が行える。
【００１７】
尚、上記第２の実施例では、槌打頭部２の基端付近２ａを上方に膨出したが、槌打頭部２の下方に膨出するようにしてもよい。この場合、金槌等を多少傾けて使用しても槌打頭部２の基端付近２ａのみを確実に打撃できるという利点は失われるが、杭部１の全長を基端付近２ａが膨出した分増加することなく槌打頭部２の撓み剛性を向上できるという利点が得られる。また、従来例と同様に杭部１の周面に沿って周溝１ｃを設けることにより、杭部１を瓦桟等に打ち込んだ際の摩擦力を増大して、杭部１が容易に抜けないようにしてもよい。
【００１８】
【発明の効果】
請求項１記載の瓦固定釘によれば、金槌等で打撃した際の衝撃によって槌打頭部が折曲したり破断したりするのを防止できるため、施工中に新たな瓦固定釘を打ち直す手間と時間を節約することができる。また、金槌等の打力を一層強くすることにより、瓦固定釘を瓦桟等に打込むのに要する時間を短縮することができる。更に金槌等で槌打頭部の基端付近を打撃すると、凸条が先に潰れて衝撃を緩和して槌打頭部の基端部付近を保護できる。更に又、杭部と槌打頭部とを鋼製の線材を屈曲することにより一体成形しているので、製造が極めて簡単である。加えて、凸条を槌打頭部の基端付近に設け先端付近には設けていないので、杭部を瓦桟等に打ち込むに際して、金槌等に対して槌打頭部の基端付近が先端付近より相対的に高く位置することになり、金槌等を多少傾けて使用しても基端付近のみを確実に打撃でき、容易に施工できる。
【００１９】
請求項２記載の瓦固定釘によれば、杭部の打込み方向から受ける衝撃に対して高い強度を確保できるため、金槌等で打撃した際の衝撃によって槌打頭部が折曲したり破断したりすることがなく、施工中に新たな瓦固定釘を打ち直す手間と時間を節約することができる。また、金槌等の打力を一層強くすることにより、瓦固定釘を瓦桟等に打込むのに要する時間を短縮することができる。又、請求項１の瓦固定釘と同様に槌打頭部の基端付近が先端付近よりも相対的に高い位置となっているので、金槌等を多少傾けて使用しても先端付近を不用意に打撃することなく基端付近のみを確実に打撃でき、施工が容易である。
【図面の簡単な説明】
【図１】この発明の第１の実施例の瓦固定釘の側面図。
【図２】図１のａ−ａ断面図。
【図３】図１のｂ−ｂ断面図。
【図４】槌打頭部の一の変形例を示す断面図。
【図５】槌打頭部の他の変形例を示す断面図。
【図６】槌打頭部の更に他の変形例を示す断面図。
【図７】この発明の第２の実施例の瓦固定釘の要部の側面図。
【図８】図７のｃ−ｃ断面図。
【図９】図７のｄ−ｄ断面図。
【図１０】従来例の瓦固定釘の側面図。
【図１１】従来例の瓦固定釘の杭部の縦断面図。
【図１２】従来例の瓦固定釘を用いて第１及び第２の瓦を固定した状態を示す斜視図。
【図１３】図１２の平面図。
【符号の説明】
１    杭部
２    槌打頭部
２ａ  基端付近
３    凸条
【図１】
0003569854.tif 000002
【図２】
0003569854.tif 000003
【図３】
0003569854.tif 000004
【図４】
0003569854.tif 000005
【図５】
0003569854.tif 000006
【図６】
0003569854.tif 000007
【図７】
0003569854.tif 000008
【図８】
0003569854.tif 000009
【図９】
0003569854.tif 000010
【図１０】
0003569854.tif 000011
【図１１】
0003569854.tif 000012
【図１２】
0003569854.tif 000013
【図１３】
0003569854.tif 000014